(57)【要約】【課題】  収納が容易になる画像診断用寝台装置の補助具を提供することにある。【解決手段】  画像診断用寝台装置の補助具において、少なくとも２つのユニットから構成され、第１のユニットと、第１のユニットに連結された第２のユニットであって、第１のユニットは、底面の内角が大きい順にθ１、θ３、θ２からなる不等辺三角形の三角柱を横置きにしたとき、三角柱の３つの側面は長方形で形成され、１番面積が大きい第1の面を底部とし、２番目に面積の大きい第２の面が第２のユニット側に配置され、１番面積が小さい第３の面と第１の面がθ３の角度を形成し、第１の面と第２の面がθ２の角度を形成し、前記第２の面と第３の面がθ１の角度を形成し、連結された第１のユニットの端部は第２の面であって、その上面に第２のユニットの端部が重なって接し、第1の面と第２のユニットの底面は同じ大きさであることを特徴とする画像診断用寝台装置の補助具。【選択図】  図２
2005102720.tif 000002
【特許請求の範囲】
【請求項１】
被検体を載置するための画像診断用寝台装置の補助具において、
少なくとも２つのユニットから構成され、前記少なくとも２つのユニットは第１のユニットと、前記第１のユニットに連結された第２のユニットであって、前記第１のユニットは、底面の内角が大きい順にθ１、θ３、θ２からなる不等辺三角形の三角柱を横置きにしたとき、前記三角柱の３つの側面は長方形で形成され、１番面積が大きい第1の面を底部とし、２番目に面積の大きい第２の面が前記第２のユニット側に配置され、１番面積が小さい第３の面と前記第１の面がθ３の角度を形成し、前記第１の面と第２の面がθ２の角度を形成し、前記第２の面と第３の面がθ１の角度を形成し、前記連結された第１のユニットの端部は前記第２の面であって、その上面に前記第２のユニットの端部が重なって接し、前記第1の面と第２のユニットの底面は同じ大きさであることを特徴とする画像診断用寝台装置の補助具。
【請求項２】
前記少なくとも２つのユニットの端部は、連結部材を介して連結され、前記連結された連結部を軸に回動して、前記少なくとも２つのユニット同士を重ね合わせて折りたたむことができ、折りたたんだ後の形が前記第1のユニットと相似形であることを特徴とする請求項１に記載の画像診断用寝台装置の補助具。
【請求項３】
前記画像診断用寝台装置の補助具は、全体がＸ線透過材にて形成されていることを特徴とする請求項１または請求項２のいずれか1項に記載の画像診断用寝台装置の補助具。
【発明の詳細な説明】
【技術分野】
【０００１】
本発明は、画像診断用寝台装置の補助具に係り、特にＸ線ＣＴ装置等の画像診断用寝台装置に使用する画像診断用寝台装置の補助具に関する。
【背景技術】
【０００２】
Ｘ線ＣＴ装置等の画像診断装置に用いられる画像診断用寝台装置は、被検体を載置するための天板と、その天板を支持する土台であり且つ天板を往復移動させるための駆動部を備えた寝台から構成されている。
【０００３】
そして、天板上に載置された被検体を様々な条件の撮影に対応できるように、天板に設置する補助具が用意されている。
【０００４】
例えば、Ｘ線ＣＴ装置で頭部のコロナル撮影をするための補助具として、頭部を所定の角度で支持するためのマットがある。コロナル撮影は、仰臥位の被検体のほぼ頭頂部と両耳と顎を結ぶ面の断層撮影を行うので、マットは撮影装置の撮影角度範囲に入らない被検体に対して利用される。（このマットは通常使用されているものなので特に例示しない。）
この場合、被検体の胴体と脚の部分はマット上に載置され、頭部だけがマットから天板側に出された状態で、マットと天板の段差を利用して頭頂部を下げて、測定部位が撮影角度範囲に入るように設定してコロナル撮影が行われる。従って頭頂部が下を向くようにするために、マットに適度な厚さを持たせている。
【０００５】
また、仰臥位で撮影時の姿勢を楽にするための補助具として、膝下に敷くマットがある。
【０００６】
これらの画像診断用寝台装置の補助具は、診断に迅速に対応できるように、画像診断装置が設置された部屋、もしくその部屋の近くに常設される必要がある。それにもかかわらず、最近の医療機関は、Ｘ線ＣＴ装置をはじめ多くの医療機器に対して広い設置場所を確保できなくなってきており、前記補助具を画像診断装置が設置された部屋、もしくはその部屋の近くに常設するのは困難になってきている。
【発明の開示】
【発明が解決しようとする課題】
【０００７】
画像診断用寝台装置の補助具は、容易に収納でき、広い収納場所を必要としないものが求められてきている。しかしながら、従来の天板上に敷設される画像診断用寝台装置の補助具は、用途別に必要で、簡単には変形できず使用状態と同じ大きさの状態で収納されるために、収納に手間を要し、広い収納場所を必要とする問題があった。
【０００８】
本発明は、上記問題点を解決するためになされたもので、少なくとも２つの用途に使用することが可能で、且つ容易に小形化でき、広い収納場所を必要としない画像診断用寝台装置の補助具を提供することを目的としている。
【課題を解決するための手段】
【０００９】
上記目的を達成するために、本発明の画像診断用寝台装置の補助具は、少なくとも２つのユニットから構成され、前記少なくとも２つのユニットは第１のユニットと、前記第１のユニットに連結された第２のユニットであって、前記第１のユニットは、底面の内角が大きい順にθ１、θ３、θ２からなる不等辺三角形の三角柱を横置きにしたとき、前記三角柱の３つの側面は長方形で形成され、１番面積が大きい第1の面を底部とし、２番目に面積の大きい第２の面が前記第２のユニット側に配置され、１番面積が小さい第３の面と前記第１の面がθ３の角度を形成し、前記第１の面と第２の面がθ２の角度を形成し、前記第２の面と第３の面がθ１の角度を形成し、前記連結された第１のユニットの端部は前記第２の面であって、その上面に前記第２のユニットの端部が重なって接し、前記第1の面と第２のユニットの底面は同じ大きさであることを特徴とする。
【発明の効果】
【００１０】
本発明によれば、２つ以上の用途に対して１つの補助具で対応でき且つ容易に小形になるので、収納場所からの出し入れが容易になり、広い収納場所を必要としなくなる。従って、画像診断装置が設置された部屋、もしくはその部屋の近くに配備でき診断に迅速に対応できるようになる。
【発明を実施するための最良の形態】
【００１１】
以下に、本発明による画像診断用寝台装置の補助具の実施例を図１乃至図５を参照して説明する。
【００１２】
図１は、本発明の画像診断用寝台装置の補助具１を画像診断用寝台装置１３の天板９上に敷設した状態を示している。画像診断用寝台装置１３は、被検体を載置するための天板９と、図示しない天板駆動部を有する寝台１４とを備える。
【００１３】
図示しない被検体は、天板９上に敷設された画像診断用寝台装置の補助具１の上に、頭部側がＸ線ＣＴ装置の撮影装置である架台１５側に向けて前記被検体の体軸１２の位置に載置される。天板９は、架台１５内へと送り込むために寝台内部に設けられた天板駆動部によって、体軸１２の方向に水平往復移動ができるようになっている。
【００１４】
図２は、本発明の構成を示す図である。画像診断用寝台装置の補助具１は、第１のユニット２と、第1のユニットに連結された第２のユニット３と、第２のユニットに連結された第３のユニット４から構成される。
【００１５】
全てのユニットは、被包と、この被包内に収納したクッション材から構成され、その材料には、例えば被包には消毒液に対して耐薬品性を備えＸ線透過性に優れたビニールレザー、内部のクッション材としてＸ線透過性に優れたウレタンフォームなどが用いられる。従って、Ｘ線を利用する画像診断装置に適用しても、診断画像に影響が出ることはない。
【００１６】
図２（ａ）は、本発明の画像診断用寝台装置の補助具１を図１の天板９上に敷設した時の側面図を示している。
【００１７】
第１のユニット２の端部と第２のユニット３の一方の端部は、連結部５で接続され、その接続部における第1のユニット２の底面に対してθ２の角度を形成している一方の面は、第２のユニット３の傾斜した端面と端面１６で接している。
【００１８】
第２のユニット３の他方の端部と第３のユニット４の端部は、連結部６で接続され、その接続部における第２のユニット３の他方の傾斜した端面は、第1のユニット２の底面に対してθ３の角度を形成している他方の面と同じく底面に対してθ３の角度を形成している第３のユニット４の端面と、端面１７で接している。連結部５および連結部６は、ビニールレザーシートによって連結される。
【００１９】
そして、第１のユニット２は、底面の内角が大きい順にθ１、θ３、θ２からなる不等辺三角形の三角柱を横置きにして、前記三角柱の３つの側面は長方形で形成され、１番面積が大きい第1の面を底部とし、２番目に面積の大きい第２の面が第２のユニット３側に配置され、１番面積が小さい第３の面と前記第１の面がθ３の角度を形成し、前記第１の面と第２の面がθ２の角度を形成し、前記第２の面と第３の面はθ１の角度を形成している。
【００２０】
また、第１のユニットは被検体の頭部が所定の角度θ１に支持される部分なので、θ１の角度を形成する２つの接面部分は、接地感がよくなり、支持部分が安定するように被検体の形状に合わせて緩やかな曲面で構成されている。
【００２１】
また、第２のユニット３の上面と第３のユニット４の上面は同一面になっている。その同一面は、水平もしくは第１のユニット２側が第３のユニット４側よりも少し高くなるような傾きを持っている。
【００２２】
図２（ｂ）は、図２（ａ）の上面図である。画像診断用寝台装置の補助具１の大きさは、縦も横も天板よりも若干小さくなっている。
【００２３】
第1のユニット２の底面と第２のユニット３の底面は、同じ大きさであり、その寸法は縦がＬ２、横がＷである。また、第２のユニット３の上面と第３のユニット４の上面は、同じ大きさであり、その寸法は縦がＬ２よりも長いＬ１、横がＷである。ここで、第１のユニット２の底面と第２のユニット３の底面が同じ大きさという意味は、本発明においては両面が互いにほぼ重なり合うことを意味している。
【００２４】
第１のユニット２の傾斜した上面に、第２のユニット３の一方の傾斜した端面が、破線による斜線で図示した面１６で接し、第２のユニット３の他方の傾斜した端面は、第３のユニット４の傾斜した端面と、破線による斜線で図示した面１７で重なって接している。
【００２５】
このように、画像診断用寝台装置の補助具１は、第１のユニット２で頭部を所定の角度に支持できるようになっているので、従来技術のようにマットに厚みを持たせて頭部を支持する必要がなく、第２のユニット３と第３のユニット４を薄くすることができるので、軽くなり取り扱いが容易になる。
【００２６】
図３は、天板９上に画像診断用寝台装置の補助具１を敷設し、その上に被検体８を載置し、被検体８の頭部を所定の角度に支持した状態を示している。
【００２７】
被検体８は、画像診断用寝台装置の補助具１の上に仰臥位に載置され、第1のユニット２によって、被検体８の頭部を所定の角度θ１に支持できるようになっている。
【００２８】
このように、天板９の上で被検体８の頭部の測定部位の位置決めができるようになるので、Ｘ線ＣＴ装置の頭部のコロナル撮影による画像が得られるようになる。
【００２９】
図４（ａ）は、図４（ｂ）の画像診断用寝台装置の補助具１を折りたたんで、小形にした状態の補助具７の側面図を示している。上段が第１のユニット２、中段が第２のユニット３、下段が第３のユニット４になっている。
【００３０】
次に、図４（ｂ）を参照しながら、折りたたみ手順について説明する。最初に、第２のユニット３と第３のユニット４の連結部６を軸にして、第２のユニット３を、矢印の方向に回動して折りたたむと、第２のユニット３の上面と第３のユニット４の上面は、図２（ｂ）で説明したように、同じ大きさなので丁度重なるようになる。
【００３１】
更に、第１のユニット２と第２のユニットの連結部５を軸にして、第1のユニット２を、矢印の方向に回動して折りたたむと、第１のユニット２の下面と第２のユニット３の下面は、図２（ｂ）で説明したように、同じ大きさなので丁度重なり、補助具７が完成する。
【００３２】
図４（ａ）に示した角度θ１を形成する２面の内、一方の面は、図４（ｂ）に示す第1のユニット２と第２のユニット３の連結部５の接面からなる面１０で構成されており、それら２面が同一平面になっている。他方の面は、図４（ｂ）に示す第２のユニット３と第３のユニット４の連結部６の接面と第１のユニット２の面で構成されている。
【００３３】
そして、小形にした状態の補助具７の側面は、内角が大きい順にθ１、θ３、θ２からなり、破線部分１１を含む三角形の３辺の内、第３のユニット４で構成される底辺が一番長い不等辺三角形になり、第１のユニット２の側面と相似形をなしている。
【００３４】
このように、第１のユニット２、第２のユニット３、及び第３のユニット４を連結して折りたたむことによって小形になるので、持ち運びやすくなり、床占有面積も半分以下になり収納が容易になる。更に、図４（ａ）に示した側面を底部にして収納すれば、床占有面積を大幅に減らすことができるので収納が容易になる。
【００３５】
図５は、被検体８の膝の下に小形にした状態の補助具７を設置し、被検体８の膝の関節部を所定の位置に支持する手段を示している。
【００３６】
被検体８の胴体部をＸ線ＣＴ装置で撮影する時に、被検体８は画像診断用寝台装置の天板９上に仰臥位に載置され、小形にした状態の補助具７によって、膝の関節部の角度はほぼθ１、脹脛部の傾きがθ３になるように支持される。
【００３７】
このように、天板９上で仰臥位になったときに背筋が伸びない被検体には、膝の下に補助具７をいれて支持すると楽に寝られるので、Ｘ線ＣＴ装置による適切な画像診断撮影を行うことができるようになる。
【００３８】
本発明は、上述した実施の形態に限定されるものではなく、画像診断用寝台装置における通常の天板マットへの使用はもちろんのこと、その要旨を逸脱しない範囲で種々変形して実施することも可能である。
【００３９】
例えば、画像診断用寝台装置の補助具を２つのユニットで構成することも可能であり、更に小形にする必要があれば、ユニット構成を４つにして実施することも可能である。
【図面の簡単な説明】
【００４０】
【図１】本発明を画像診断用寝台装置の天板上に敷設した状態を示す図。
【図２】本発明の構成を示す図。
【図３】本発明の支持手段により被検体を支持した状態を示す側面図。
【図４】本発明を小形にした状態を示す側面図。
【図５】本発明の支持手段により被検体を支持した状態を示す側面図。
【符号の説明】
【００４１】
１  画像診断用寝台装置の補助具
２  第１のユニット
３  第２のユニット
５  第１のユニットと第２のユニットの連結部
８  被検体
１０  第1のユニットと第２のユニットの連結部の接面からなる面
１６  端面
１７  端面
【図１】
2005102720.tif 000003
【図２】
2005102720.tif 000004
【図３】
2005102720.tif 000005
【図４】
2005102720.tif 000006
【図５】
2005102720.tif 000007